(57)【要約】本発明は、ジェットエンジンのコアエンジンを洗浄するための装置に関し、当該装置は、コアエンジンに洗浄媒体を導入するように構成されるとともにジェットエンジンのファンのシャフトに回転方向に固定するための手段を有するノズルユニットと、洗浄媒体を供給するためであって回転継手（８）を介してノズルユニットに接続された接続ライン（１０）とを備える。本発明によれば、ノズルユニットは少なくとも１つのフラットジェットノズルと、少なくとも１つのフルコーンノズルまたはホロコーンノズルとを備える。
2021532978.tif 000002
【特許請求の範囲】
【請求項１】
ジェットエンジンのコアエンジンを洗浄するための装置であって、
前記コアエンジンに洗浄媒体を導入するように構成されるとともに前記ジェットエンジンのファンのシャフトへの回転固定式の接続手段となっているノズル設備を有し、
洗浄媒体を供給するように回転継手（８）を介して前記ノズル設備に接続された接続ライン（１０）を有し、
前記ノズル設備は、少なくとも１つのフラットジェットノズルと、少なくとも１つのフルコーンノズルまたはホロコーンノズルとを備えることを特徴とする、装置。
【請求項２】
前記装置は、各場合で少なくとも１つの、好ましくは各場合で２つのフラットジェットノズルとフルコーンノズルとを有することを特徴とする、請求項１に記載の装置。
【請求項３】
各ノズルの噴霧角度は、２０°〜１２０°であり、好ましくは６０°〜９０°であることを特徴とする請求項１または請求項２に記載の装置。
【請求項４】
各ノズルの主出口方向と、前記装置の回転軸とは、−４５°〜４５°、好ましくは−５°〜３０°の角度αをなしていることを特徴とする請求項１から請求項３のいずれか１項に記載の装置。
【請求項５】
前記ノズルの出口開口部は、前記コアエンジンのインレットガイドベーンの入口面から１〜２５ｃｍ、好ましくは４〜１５ｃｍの間隔を有していることを特徴とする、請求項１から請求項４のいずれか１項に記載の装置によってジェットエンジンのコアエンジンを洗浄するための方法。
【請求項６】
前記各ノズルの主出口方向と、前記コアエンジンのインレットガイドベーンのプロファイルコードとは、−７５°〜７５°、好ましくは−１５°〜１５°の角度βをなしていることを特徴とする請求項５に記載の方法。
【請求項７】
液体洗浄媒体を、平均液滴サイズ１０〜５００μｍで前記ノズルから出す、請求項５または請求項６に記載の方法。
【請求項８】
液体洗浄媒体を、０．５〜１００バール、好ましくは３０〜８０バールの圧力で、前記ノズルに供給する、請求項５から請求項７のいずれか１項に記載の方法。
【請求項９】
ノズル１本あたりの液体洗浄媒体のスループットは毎分１〜２００リットル、好ましくは毎分３〜２０リットルであり、および／または、前記ジェットエンジンを毎分５０〜５００、好ましくは毎分１００〜３００、さらに好ましくは毎分１２０〜２５０のファン回転速度で回転させることを特徴とする、請求項５から請求項８のいずれか１項に記載の方法。
【請求項１０】
気体に液体を分散させた分散液を洗浄媒体として使用する、請求項５から請求項９のいずれか１項に記載の方法。
【請求項１１】
ジェットエンジンと、前記コアエンジンの洗浄を実行するように前記ジェットエンジンに取り付けられた請求項１から請求項４のいずれか１項に記載の装置とのアセンブリであって、
前記アセンブリは、
ア）前記ノズル設備が前記ジェットエンジンの前記ファンの前記シャフトに回転固定式に接続され、
イ）前記ジェットエンジンの前記ファンの回転軸および前記ノズル設備の回転軸が実質的に同心になるように配置され、
ウ）前記ノズルの噴射が実質的に妨げられない態様で前記ファンの平面を通過できるように、前記ノズルの出口開口部が軸方向において前記ファンの平面の後方に配置され、および／または、前記ノズルがファンブレードの間の空間に配置されるか若しくはファンブレードの間の空間に向けて揃えられている
との特徴を有し、
前記ノズルの出口開口部は、前記コアエンジンのインレットガイドベーンの入口面から１〜２５ｃｍ、好ましくは４〜１５ｃｍの間隔を有していることを特徴とする、アセンブリ。
【請求項１２】
前記各ノズルの主出口方向と、前記コアエンジンのインレットガイドベーンのプロファイルコードとは、−７５°〜７５°、好ましくは−１５°〜１５°の角度βをなしていることを特徴とする、請求項１１に記載のアセンブリ。
【請求項１３】
前記ノズル設備の前記ノズルの前記出口開口部は、ジェットエンジンの回転軸から、第１圧縮段の上流へ向いた入口開口部の半径の０．６〜１．２倍、好ましくは０．６〜１倍に相当する径方向の間隔をもって配置されていることを特徴とする、請求項１１または請求項１２に記載のアセンブリ。
【発明の詳細な説明】
【技術分野】
【０００１】
本発明は、ジェットエンジンのコアエンジンに洗浄媒体を導入するように構成されるとともにファンのシャフトへの回転固定式の接続手段となっているノズル設備を有し、洗浄媒体を供給するように回転継手を介してノズル設備に接続された接続ラインを有する、ジェットエンジンのコアエンジンを洗浄するための装置に関する。
【０００２】
本発明の主題は、さらにそのような装置とジェットエンジンのアセンブリにも関する。
【背景技術】
【０００３】
民間の亜音速旅客機のジェットエンジンは、今日主にターボファンジェットエンジンである。このようなターボファンジェットエンジンは、灯油の実際的な燃焼工程が実行されるコアエンジンを備えている。コアエンジンは、公知の態様で、１つ以上の圧縮機段と、燃焼室と、高温の燃焼ガスが機械的エネルギーの一部を放出する１つ以上のタービン段とを有している。この機械的エネルギーは、一方では、圧縮機段を駆動するために必要であるが、他方では、コアエンジンの上流に配置され、典型的にはコアエンジンよりも大幅に大きな直径を有し、エンジンを通過する空気全体の大部分をバイパス空気流または２次空気流としてエンジンを通過させるターボファンを駆動するために必要である。このバイパス空気流によって、ターボファンはエンジンの推力出力の大部分を発生させるとともに、バイパス空気流の比率が高いことによってエンジンの環境適合性が向上し、特に亜音速での効率が向上し、コアエンジンの高温排気流の騒音低減性についても向上する。
【０００４】
ジェットエンジンは、動作中、コアエンジンの燃焼残留物や、燃焼またはバイパス空気によって吸引された空気汚染物、例えば、ほこり、昆虫、塩水噴霧、または他の環境汚染物のそれぞれによって汚染されている。これらの汚染物は特にコアエンジンの圧縮機のローターブレードおよび／またはステーターブレード上にも層を形成し、それが表面品質を阻害し、結果的にエンジンの熱力学的効率を阻害する。
【０００５】
ジェットエンジンは、汚染物を除去するために洗浄される。このために、国際公開第２００５／０７７５５４号では、ファンとコアエンジンを洗浄するようにターボファンエンジンのファンの上流に複数の洗浄ノズルを配置することが知られている。
【０００６】
国際公開第２００８／１１３５０１号は、ファン上に配置され、洗浄動作中に連動して回転する、冒頭で記載した種類の装置を開示している。
【発明の概要】
【０００７】
本発明は、良好な洗浄性能を有する冒頭に述べたタイプの装置、方法、およびアセンブリを実現するという目的に基づく。
【０００８】
この目的を達成するために、本発明によれば、ノズル設備は、少なくとも１つのフラットジェットノズルと、少なくとも１つのフルコーンノズルまたはホロコーンノズルとを有する。
【０００９】
本発明の文章で使用されるいくつかの用語を先に説明する。ジェットエンジンという用語は、航空宇宙分野のアプリケーションのあらゆる移動式ガスタービンのことをいう。本発明の文章において、この用語は、特にターボファンエンジンのことをいい、当該ターボファンエンジンでは、実際のガスタービンがいわゆるコアエンジンを形成し、比較的大きな直径を有するとともにバイパス気流を生成するターボファンがコアエンジンの上流に配置されている。コアエンジンという用語は、燃料、典型的には灯油の燃焼工程が実行されるジェットエンジンの実際的なガスタービンのことをいう。このようなコアエンジンは、通常、１つ以上の圧縮機段と、燃焼室と、高温の排気ガスによって駆動される１つ以上のタービン段とを有している。
【００１０】
ノズル設備は、洗浄媒体用の複数のノズルと、ノズル設備を当該複数のノズルはジェットエンジンのファンのシャフトに回転固定式に接続する手段とを備えている。当該手段については、以降でより詳細に説明する。
【００１１】
洗浄媒体は、接続ラインと回転継手とを介してノズル設備に供給される。本発明の文章における接続ラインという用語は、広く解釈されるべきであり、例えば回転継手上における（連動して回転しない）静止接続片を構成する場合もある。
【００１２】
特許請求の範囲で構成されていない供給設備は、（例えば、１つ以上のタンク内の）洗浄媒体を提供し、運転駆動設備、ポンプ、パワーアキュムレータなどを備えてもよい。好ましくは、供給設備は、移動可能であって特に駆動可能なユニットとして構成される。
【００１３】
コーンノズルは、実質的に回転対称で、ホロコーン（ホロコーンノズル）またはフルコーン（フルコーンノズル）の形状をしたスプレー噴射を行う。主出口方向は、コーンの対称軸に対応している。
【００１４】
フラットジェットノズルは、主出口方向に垂直な第１空間方向において、主出口方向および第１空間方向に垂直な第２空間方向よりも実質的に大きい噴霧角または開口角をそれぞれ有する平坦なスプレー噴射を行うものである。小さい（鋭い）開口角は、例えば、１°〜５°であり得る。
【００１５】
本発明によれば、コーンノズルの中でもフルコーンノズルが好ましい。
【００１６】
本発明では、フラットジェットノズルと、コーンノズルの特にフルコーンノズルとの組み合わせにより、コアエンジン内の洗浄性能が大幅に向上することを確認した。フラットジェットノズルは、前段圧縮領域（上流側）の洗浄性能を向上させる効果がある。コーンノズルは、コアエンジンの後段領域（下流側）の洗浄性能を向上させる効果がある。これは、動作条件（洗浄媒体の供給速度と圧力）が同じであれば、液体洗浄媒体が、コーンノズルによってより細かく霧化されるとともに、よりゆっくりと噴射されるためである。このようにして、洗浄媒体は、コアエンジン内の流れに良好に追従でき、細かく分散された液滴として、より深く浸透できる。
【００１７】
本発明に係る装置は、好ましくは各場合に少なくとも１つの、好ましくは各場合に２つのフラットジェットノズルとフルコーンノズルとを有する。２つのフラットジェットノズルと２つのフルコーンノズルとの組み合わせにより、特に良好な洗浄性能が得られる。
【００１８】
各ノズルの噴霧角度は、２０°〜１２０°、好ましくは６０°〜９０°であることが好ましい。ここでいう噴霧角度とは、スプレーコーンやスプレーファンの最大開口角度のことをいう。
【００１９】
本発明のさらに好ましい一実施形態によれば、各ノズルの主出口方向と装置の回転軸とは、−４５°〜４５°、好ましくは−５°〜３０°の角度αをなしている。この角度は、各場合において洗浄するエンジンのタイプに合わせることが好ましい。洗浄動作中の装置の回転軸は、エンジンの回転軸に対応する。角度の負の代数的符号は、外側に向かって回転軸から遠ざかる主出口方向を意味する。角度の正の代数的符号は、内側に向かって回転軸を指す主出口方向を意味し、これは一般的に好ましいものである。
【００２０】
本件の他の主題は、本発明に係る装置を用いてジェットエンジンのコアエンジンを洗浄するための方法に関するものである。この方法では、ノズルの出口開口部は、コアエンジンのインレットガイドベーンの入口面から１〜２５ｃｍ、好ましくは４〜１５ｃｍの間隔を有している。
【００２１】
本発明では、この間隔の選択は、スプレーの噴射がコアエンジンに入射する前に既に所望の分布度または所望の液滴サイズになることに大きく寄与することを確認している。これにより、一方では、入口開口部の完全な幅と高さ、または、コアエンジンのインレットガイドベーンの完全な幅と高さをそれぞれ掃引でき、他方では、所望の分布度または細分化度で入射するので、所望の洗浄効果が得られる。
【００２２】
この方法では、この間隔の範囲と、装置の記載として上述した角度αの好ましい範囲とを組み合わせることが特に有益である。ここでは、インレットガイドベーンの入口面からノズルまでの間隔は、設けられた開口角度（噴霧角度）αでインレットガイドベーンが全領域にわたって覆われるように前述の範囲内で選択されることが好ましい。ここでのスプレーコーンの中心軸は、インレットガイドベーンに対して実質的に中心を揃えることが好ましい。
【００２３】
本発明に係る方法のさらに好ましい一実施形態によれば、各ノズルの主出口方向とコアエンジンのインレットガイドベーンのプロファイルコードとは、−７５°〜７５°、好ましくは−３５°〜３５°の角度βをなしている。インレットガイドベーンのプロファイルコードに対して主出口方向をこのように適応することで、スプレーミストがコアエンジンの前部領域または前部圧縮段をそれぞれより良好に通過できるようになる。
【００２４】
プロファイルコードで定義する代わりに、対応する角度を回転軸で定義することもできる。例えば、エンジンタイプがＣＦ６−５０の場合、プロファイルコードから見た角度βは−２７°が好ましく、これは回転軸から見た角度が０°に相当する。
【００２５】
本発明によれば、液体洗浄媒体を、平均液滴サイズ１０〜５００μｍでノズルから出すことが好ましい。
【００２６】
本発明の一変形例によれば、液体洗浄媒体を、０．５〜１００バール、好ましくは３０〜８０バールの圧力でノズルに供給する。
【００２７】
ノズル１本あたりの液体洗浄媒体のスループットは毎分１〜２００リットル、好ましくは毎分３〜２０リットルである。
【００２８】
洗浄中にジェットエンジンを毎分５０〜５００、好ましくは毎分１００〜３００、さらに好ましくは毎分１２０〜２５０のファン回転速度で回転させる。
【００２９】
気体媒体（好ましくは空気）中の液体（好ましくは水）の分散液が、好ましくは洗浄媒体として使用される。この分散液は、例えば空気などの気体を洗浄液に加えることによって、ノズル出口開口部の前に既に生成できる。しかしながら好ましくは、液体洗浄媒体のみがノズル出口開口部まで案内され、ノズル出口開口部での射出によって圧力下で噴霧され、液体と気体の混合物になる。この分散液またはエアロゾルは、コアエンジンを介して運ばれる。洗浄媒体（またはエアロゾルの液体調和）は、好ましくは２０から１００℃、さらに好ましくは３０から８０℃、さらに好ましくは５０から７０℃の範囲に温度制御される。
【００３０】
本発明の他の主題は、ジェットエンジンと、コアエンジンの洗浄を実行するようにジェットエンジンに取り付けられた本発明に係る装置とのアセンブリに関し、当該アセンブリは、
ア）ノズル設備がジェットエンジンのファンのシャフトに回転固定式に接続され、
イ）ジェットエンジンのファンの回転軸およびノズル設備の回転軸が実質的に同心になるように配置され、
ウ）ノズルの噴射が実質的に妨げられない態様でファンの平面を通過できるように、ノズルの出口開口部が軸方向においてファンの平面の後方に配置され、および／または、ノズルがファンブレードの間の空間に配置されるか若しくはファンブレードの間の空間に向けて揃えられている
との特徴を有し、
ノズルの出口開口部は、コアエンジンのインレットガイドベーンの入口面から１〜２５ｃｍ、好ましくは４〜１５ｃｍの間隔を有していることを特徴とする。
【００３１】
好ましくは、各ノズルの主出口方向と、コアエンジンのインレットガイドベーンのプロファイルコードとは、−７５°〜７５°、好ましくは−１５°〜１５°の角度βをなしている。
【００３２】
ノズル設備のノズルの出口開口部は、エンジンの回転軸から、第１圧縮段の上流へ向いた入口開口部の半径の０．６〜１．２倍、好ましくは０．６〜１倍に相当する径方向の間隔をもって配置されることが好ましい。
【００３３】
本発明に係る装置およびアセンブリのさらに有利な実施形態を以下に開示するが、当該例示的な実施形態は、取り扱いおよび動作の点で特に有利である。
【００３４】
好ましくは、ノズル設備は、軸方向においてファンブレードを支持するための第１接触面を有する。ノズル設備をジェットエンジンのスピナーに配置するとき、これらの所定の第１接触面は、ノズル設備をジェットエンジンに対して少なくとも軸方向において決められた態様で位置決めする戻り止め（detent）を形成する。配置されると、これらの第１接触面が軸方向においてファンブレードを支持するように面して位置の移動を止める。その後、ノズル設備はファンブレードに固定され、以下でより詳細に説明するが、後述する回転固定式の接続手段は洗浄動作におけるファンブレードへの接触を考慮して決められた軸方向の配置が維持されるような方法で軸方向に作用する力（引張力）を付加する。
【００３５】
好ましくは、第１接触面は、例えばゴム緩衝材のようにクッション性および／または弾性を有するように構成される。第１接触面は、複数の接触面、好ましくは３つ以上の接触面であり、好ましくは等角度間隔で円周上に分布している。当該接触面の径方向および周方向の大きさは、確実な位置決めと、配置されたノズル設備の力の吸収とに対して十分なものであることが好ましい。
【００３６】
本発明のこの態様が認めることには、国際公開第２００８／１１３５０１号の先行技術では、ノズル設備がスピナーに対して接触または支持によってのみ配置されるため、典型的には、ノズル設備がジェットエンジンに対して決められていないおよび／または偏心した態様で配置される。これにより、洗浄動作において、不均一および／または回転継手における大きな摩耗が生じる。これに対し、本発明に係るファンブレードの軸方向の接触によれば、ノズル設備（および回転継手）の軸が常にジェットエンジンの軸と同じ方向に延びることを保証する決められた位置決めが可能となる。
【００３７】
好ましくは、第１接触面は、ノズル設備の第１環状領域に配置される。好ましくは、この環状領域は、配置状態で、下流へ向いたノズル設備の端部領域に配置される閉じたリングとして構成され得る。本発明によれば、この環状領域の軸方向において下流へ向いた面が、全周にわたってまたは周のサブセグメントにわたって（クッション性のある）第１接触面として構成され得る。
【００３８】
好ましくは、本発明に係るアセンブリでは、第１環状領域の内径は、スピナーの外径（ファンブレードの前縁が存在する軸平面における外径）に対して同一またはわずかに大きい。これにより、ジェットエンジンに対して、軸方向だけでなく、径方向にもノズル設備を正確に位置決めできる。ここでいう「わずかに大きい」とは、配置状態において、第１環状領域がジェットエンジンに対して径方向の遊びを持ち、所望の中心適合性が、仮にあったとしても、わずかに損なわれるだけであることを意味する。
【００３９】
有利な一実施形態では、ノズル設備は、ジェットエンジンのスピナーを支持するための第２接触面をさらに有する。当該第２接触面は、例えば軸方向において第１環状領域と回転継手との間に配置されるノズル設備の第２環状領域に配置され得る。当該第２接触面は、同様に弾性／クッション性を有してもよい。好ましくは、第２接触面が資することには、ジェットエンジンに配置されたノズル設備を、径方向平面（radial plane）内においてスピナーの上流側先端部とファンブレードの前縁との間の中心に配置する。
【００４０】
全体として、第１接触面および第２接触面が一体となって、装置をジェットエンジンのスピナーの中心に配置するように構成できる。
【００４１】
配置状態の本発明に係る装置においても、本発明によるアセンブリにおいても、ノズル設備の質量分布は、後段（latter）の回転軸を中心に回転対称であることが好ましい。
【００４２】
本発明の好ましい一実施形態では、ジェットエンジンのファンのシャフトへの回転固定式の接続手段は、少なくとも２つ、好ましくは３つ以上のテンションロープと、テンションロープをファンブレードに固定するための固定手段とを有している。固定手段は、個別にロック可能な個別固定手段として構成されている。周方向における固定手段および／またはテンションロープの分布は、第１接触面の分布にそれぞれ対応してもよく、または周方向においてそのような接触面の間に配置されてもよい。
【００４３】
好ましくは、テンションロープは、ファンブレードに固定でき、また好ましくは後段の後縁に（フックまたはクランプ顎を用いて）固定できる。これらのフックまたはクランプ顎（clamping jaw）は、それぞれ、十分に柔らかいプラスチック材料またはゴムのコーティングまたはケーシングを有し得る。
【００４４】
個別にロック可能な個別固定手段としての固定手段の本発明による設計形態は、国際公開第２００８／１１３５０１号に開示された中央クランプ装置と比較して実質的な利点を有している。当該先行技術では、テンションロープが複雑な方法で回転継手まで偏らせて案内される必要がある。当該先行技術は、すべてのテンションロープが同時に張力を受けることによって、ノズル設備が比較的不正確に位置決めされることとなる中央クランプリングを提供する。
【００４５】
本発明によって設けられる接触面と、当該接触面によってなされるノズル設備の位置決めとによって、実質的に取り扱いが容易であるとともに連続した態様で固定およびロックできる個別固定手段を提供できる。これは、接触面によって位置決めがすでに保証されていることによる。さらに、個別固定手段によって、テンションロープを短縮でき、その結果、シンプルで堅牢なクランプシステムを実現できる。
【００４６】
好ましくは、個別固定手段は、テンションロープをロックして張力を付加するためのベルクランクレバーを有する。ベルクランクレバーの場合、付加力と結果力との間の伝達比または１次スローと２次スローとの間の伝達比は、それぞれ作動中に連続的に変化する。閉状態（ロック状態）への作動中は、一定の作動速度で（テンションロープに作用する）スロー速度が減少するが、これに対してテンションロープに作用する引張力は増加する。
【００４７】
個別固定手段の本発明による設計形態は、工具の助けを借りずに、簡単かつ確実で決められた態様でノズル設備をジェットエンジンに固定することを可能にする。
【００４８】
個別固定手段は、好ましくは、ノズル設備を決められた力で押圧するように、テンションロープの予め決められた予荷重を設定するためのばね要素を有する。
【００４９】
本発明によれば、個別固定手段が、閉状態に保持するために、保持設備を有し得る。例えば、ベルクランクレバーは、閉状態において、割りピンや安全ピンでロックされ得る。
【００５０】
本発明によれば、回転継手が衝撃保護部を有し得る。衝撃保護部は、例えば特定点で径方向において特に配置されるときの衝撃から回転継手を保護する（例えば、プラスチック材料のリングとして構成される）クッションであり得る。
【図面の簡単な説明】
【００５１】
【図１】ジェットエンジン上に組み付けられた本発明に係る装置を模式的に示す。
【図２】本発明に係る装置が配置されたエンジンの軸方向断面を模式的に示す。
【図３】インレットガイドベーンに対するノズルの組み付けとその間隔Ｘとを模式的に示す。
【図４】回転軸とノズルの主出口方向との間の角度αを決定する様子を模式的に示す。
【図５】コアエンジンのインレットガイドベーンのプロファイルコードとノズルの主出口方向との間の角度βを決定する様子を模式的に示す。
【図６】ベルクランクレバーによる固定を詳細に示す。
【図７】第１接触面の設計形態を詳細図で示す。
【発明を実施するための形態】
【００５２】
本発明の例示的な実施形態について図面を参照して以下説明する。
【００５３】
ノズル設備は、２つの環状領域、即ち環状要素１，２をそれぞれ有し、その助けを借りてノズル設備はジェットエンジンのファンのシャフトハブ即ちスピナー３にそれぞれ配置される（図１参照）。配置状態では、環状要素１，２は、実質的に形状が適合した態様でスピナー３を取り囲んでいる。軸方向において下流に配置される環状要素１の内径は、ファンブレード４の前縁が位置する軸平面におけるスピナー３の外径よりもわずかに大きい。
【００５４】
第１環状要素１の円周にわたって分布するゴム緩衝材５は第１接触面を形成し、それによって環状要素１はファンブレード４の前縁を軸方向において支持する。
【００５５】
第２環状要素２の円周にわたって分布するゴム緩衝材６は第２接触面を形成し、それによって環状要素２がスピナー３を支持する。
【００５６】
２つの環状要素１，２は、ラジアルステー７によって互いに接続されている。回転継手は、全体として参照符号８で特定され、衝撃保護部９と、接続ラインの接続片１０とを有し、（エンジンの流れ方向に関して）上流に向いたノズル設備の先端に配置される。
【００５７】
洗浄媒体を４つのノズル（図示せず）に供給する４つの圧力ライン１１は、この回転継手から延びている。圧力ライン１１は、環状要素１，２に対してこれらの環状要素に固定されており、ノズル設備全体の支持構造の一部を形成している。
【００５８】
テンションロープ１２は、フック（図示せず）によってファンブレード４の後縁に引っ掛けることができるようになっており、ノズル設備をファンに固定するために設けられている。テンションロープ１２を固定するための個別固定手段として、安全ピン１４によってロック位置に固定できるベルクランクレバー１３が設けられている。ばね１５は、テンションロープ１２に決められた張力を与える。
【００５９】
コアエンジンの洗浄のために、特に図１から導出可能な態様で、ノズル設備をファンの上に配置し、テンションロープ１２によってファンブレードに固定する。エンジンは、回転状態（ドライクランキング）にセットされる。ノズルには、接続ライン１０と、回転継手８と、圧力ライン１１とを介して、供給設備（図示せず）から洗浄媒体が供給される。
【００６０】
この洗浄媒体は、コアエンジンの入口を後段の全周にわたって掃引し、洗浄を実行する。
【００６１】
図３は、圧力ライン１１と、当該圧力ライン１１の端部であってファンブレード４の間に配置されるフルコーンノズル１６と、当該フルコーンノズル１６のスプレーコーン１７とを模式的に示している。コアエンジンのインレットガイドバルブ１８の入口面からノズル１６の出口開口部の軸方向間隔は、参照符号Ｘによって模式的に示されている。
【００６２】
図４は、ノズル（図示せず）の主出口方向と、回転軸に平行な軸との間の角度αを模式的に示している。本実施形態のこの変形例では、角度αは、エンジンの回転軸と、第２直線との間の角度に近似する。第２直線は、コアエンジンの圧縮機の吸気口の径方向外周の接線として、かつ、その後方に配置されたフローダクトの凸状曲面上の接線として延びている。
【００６３】
図５は、ノズル１６の主出口方向とコアエンジンのインレットガイドベーン１８のプロファイルコード１９（またはその仮想延長線）との間の角度βを模式的に示したものである。
【符号の説明】
【００６４】
１  第１環状領域（第１環状要素）
２  第２環状領域（第２環状要素）
３  スピナー
４  ファンブレード
５  ゴム緩衝材（第１接触面）
６  ゴム緩衝材（第２接触面）
７  ラジアルステー
８  回転継手
９  衝撃保護部
１０  接続ライン（接続片）
１０  接続ライン
１０  平均液滴サイズ
１１  圧力ライン
１２  テンションロープ
１３  ベルクランクレバー
１４  安全ピン（保持設備）
１５  ばね要素（ばね）
１６  フルコーンノズル
１７  スプレーコーン
１８  インレットガイドバルブ（インレットガイドベーン）
１９  プロファイルコード
【図１】
2021532978.tif 000003
【図２】
2021532978.tif 000004
【図３】
2021532978.tif 000005
【図４】
2021532978.tif 000006
【図５】
2021532978.tif 000007
【図６】
2021532978.tif 000008
【図７】
2021532978.tif 000009
【国際調査報告】
2021532978.tif 000010
2021532978.tif 000011
2021532978.tif 000012
2021532978.tif 000013
2021532978.tif 000014